(57)【特許請求の範囲】
【請求項１】
筐体に対して移動可能な把持部材を備え、電力の供給により撮像が可能となる撮像装置において、
前記把持部材は、一端部を前記筐体に揺動可能に枢支してあり、一側に揺動したときに前記筐体と対向する状態となり、他側に揺動したときに前記筐体と対向しない状態となる対向部を備え、撮像に関する操作部を前記筐体と対向しない状態のときに撮像方向側となる前記対向部の部分に設けてあることを特徴とする撮像装置。
【請求項２】
筐体に対して移動可能な把持部材を備え、電力の供給により撮像が可能となる撮像装置において、
前記把持部材は、前記筐体に対して出入可能であり、前記筐体内に収容された入状態のときに前記筐体と対向する状態となり、前記筐体から突出した出状態のときに前記筐体と対向しない状態となる対向部を備え、撮像に関する操作部を前記筐体と対向しない状態のときに撮像方向側となる前記対向部の部分に設けてあることを特徴とする撮像装置。
【請求項３】
前記把持部材の前記筐体に対する移動を検出する検出手段と、
該検出手段が検出した前記把持部材の前記筐体に対する移動に応じて前記電力の供給状態を切り替える切替手段と
を備えることを特徴とする請求項１又は２に記載の撮像装置。
【発明の詳細な説明】
【技術分野】
【０００１】
本発明は、筐体に対して移動可能な把持部材を備える撮像装置に関する。
【背景技術】
【０００２】
ビデオカメラ（デジタルビデオカメラを含む）又はカメラ（デジタルカメラを含む）等の携帯用の撮像装置においては、撮像時の保持性を高め、手ぶれによる画質の悪化を抑制するために、把持部材を備えるものがある。
【０００３】
このように、把持部材を備える撮像装置として、軟質素材により形成され、一端が機器本体に対して回動可能に取付けられると共に、他端がスライド移動可能に取付けられた把持部材を備え、使用時には、把持部材の一端を回動させると同時に他端をスライド移動させて湾曲変形せしめ、把持に必要な大きさ、形状を確保すると共に、非使用時には、把持部材でディスプレイ部を保護するように覆う撮像装置がある（例えば、特許文献１参照。）。
【特許文献１】特開平１０−８３０２６号公報
【発明の開示】
【発明が解決しようとする課題】
【０００４】
しかしながら、特許文献１に開示された撮像装置の把持部材は、使用時においては、把持するだけであり、把持部材が有効活用されていないという問題があった。
【０００５】
本発明は斯かる事情に鑑みてなされたものであり、筐体に対して移動可能な把持部材を備え、この把持部材をより一層活用することにより、小型化された筐体でも確実に保持でき、しかも撮像に関する操作部の操作性も向上できる撮像装置を提供することを目的とする。
【０００６】
また、本発明は、操作部の配設位置を工夫することにより、把持部材が非使用状態のときに誤作動を防止する撮像装置を提供することを目的とする。
【０００７】
さらに、本発明は、操作部の配設位置を工夫することにより、撮像時における操作性をより向上できる撮像装置を提供することを目的とする。
【０００８】
さらにまた、本発明は、把持部材の筐体に対する移動に電源のオン又はオフを関連付けることにより、把持部材を使用状態にすることで撮像操作が速やかに開始できる撮像装置を提供することを目的とする。
【０００９】
また、本発明は、把持部材の一端部を取付けて作動するように構成することにより、把持部材の取付部分の構造の複雑化を防止できる撮像装置を提供することを目的とする。
【課題を解決するための手段】
【００１０】
本発明に係る撮像装置は、筐体に対して移動可能な把持部材を備え、電力の供給により撮像が可能となる撮像装置において、前記把持部材は、一端部を前記筐体に揺動可能に枢支してあり、一側に揺動したときに前記筐体と対向する状態となり、他側に揺動したときに前記筐体と対向しない状態となる対向部を備え、撮像に関する操作部を前記筐体と対向しない状態のときに撮像方向側となる前記対向部の部分に設けてあることを特徴とする。
【００１１】
本発明においては、一端部を支点として把持部材を揺動させることにより、把持部材に備えた対向部が筐体と対向する状態と対向しない状態とに切り替わる。対向部が筐体と対向しない状態の把持部材を把持すれば、撮像装置が確実に保持され、加えて、筐体と対向しない状態の対向部の撮像方向側となる部分に撮像に関する操作部を設けてあるから、該対向部の撮像方向側となる部分に当接している指先の近くに操作部が位置し、指先を僅かに動かすだけで操作部を操作することができるため、撮像装置を確実に保持したまま撮像操作が可能となる。一方、把持部材を対向部が筐体と対向する状態にすれば、撮像装置の携帯性が高まり、加えて、対向部に設けた操作部が筐体に対向して筐体で覆われる状態となり、外側に露出しないため、操作部が不用意に操作されるのが防止できる。
【００１２】
本発明に係る撮像装置は、筐体に対して移動可能な把持部材を備え、電力の供給により撮像が可能となる撮像装置において、前記把持部材は、前記筐体に対して出入可能であり、前記筐体内に収容された入状態のときに前記筐体と対向する状態となり、前記筐体から突出した出状態のときに前記筐体と対向しない状態となる対向部を備え、撮像に関する操作部を前記筐体と対向しない状態のときに撮像方向側となる前記対向部の部分に設けてあることを特徴とする。
【００１３】
本発明においては、筐体に対して出入可能な把持部材を筐体から突出した出状態にして把持すれば、撮像装置が確実に保持され、加えて、筐体と対向しない状態の対向部の撮像方向側となる部分に撮像に関する操作部を設けてあるから、該対向部の撮像方向側となる部分に当接している指先の近くに操作部が位置し、指先を僅かに動かすだけで操作部を操作することができるため、撮像装置を確実に保持したまま撮像操作が可能となる。一方、把持部材を筐体に収容された入状態にすれば、撮像装置の携帯性が高まり、加えて、対向部に設けた操作部が筐体に対向して筐体で覆われる状態となり、外側に露出しないため、操作部が不用意に操作されるのが防止できる。
【００１６】
本発明に係る撮像装置においては、前記把持部材の前記筐体に対する移動を検出する検出手段と、該検出手段が検出した前記把持部材の前記筐体に対する移動に応じて前記電力の供給状態を切り替える切替手段とを備えることを特徴とする。
【００１８】
本発明においては、検出手段が把持部材の筐体に対する移動を検出し、切替手段が把持部材の筐体に対する移動に応じて電力の供給状態を切り替える。検出手段が、対向部が筐体と対向しない状態の把持部材を検出したとき、切替手段が、電力を供給する状態に切り替えるように構成し、検出手段が、対向部が筐体と対向する状態の把持部材を検出したとき、切替手段が、電力を供給しない状態に切り替えるように構成すれば、把持部材を対向部が筐体と対向しない状態にすれば、電力が供給され、把持部材を対向部が筐体と対向する状態にすれば、電力の供給が停止する。
【発明の効果】
【００２１】
本発明に係る撮像装置においては、筐体に枢支した一端部を支点として把持部材を揺動させて、対向部が筐体に対向する状態と対向しない状態とに切り替わるようにしたから、把持部材を移動させるための構造が複雑化せず、把持部材の取付部分の構造が簡単にできる。さらに、筐体と対向しない状態の対向部の撮像方向側となる部分に操作部を設けてあるから、対向部が筐体と対向しない状態に揺動させた把持部材を把持すれば、対向部の撮像方向側の部分に当接した指先の近くに操作部が位置し、指先を僅かに動かすだけで操作部を操作できるので、撮像装置を確実に保持したまま撮像操作が可能となり、撮像装置の操作性が向上する。また、把持部材を対向部が筐体と対向する状態に揺動させれば、撮像装置の携帯性が高まることに加えて、対向部に設けた操作部が筐体に対向して筐体によって覆われ、外側に露出しないため、操作部が不用意に操作されるのを防止して誤作動を抑制できる。
【００２２】
また、本発明に係る撮像装置においては、筐体に対して出入可能な把持部材を筐体から突出した出状態にして把持すれば、筐体と対向しない状態の対向部の撮像方向側となる部分に操作部を設けてあるから、対向部の撮像方向側の部分に当接した指先の近くに操作部が位置し、指先を僅かに動かすだけで操作部を操作できるので、撮像装置を確実に保持したまま撮像操作が可能となり、撮像装置の操作性が向上する。また、把持部材を筐体内に収容された入状態にすれば、撮像装置の携帯性が高まることに加えて、対向部に設けた操作部が筐体に対向して筐体によって覆われ、外側に露出しないから、操作部が不用意に操作されるのを防止して誤作動を抑制できる。
【００２４】
さらにまた、本発明に係る撮像装置においては、把持部材を対向部が筐体と対向しない状態にすることにより、電力が供給されるから、把持部材を対向部が筐体と対向しない状態にするだけで、速やかに撮像操作を開始できる。
【発明を実施するための最良の形態】
【００２６】
以下、本発明をその実施の形態を示す図面に基づいて詳述する。図１は本発明に係る撮像装置であるビデオカメラの斜視図、図２は本発明に係る撮像装置であるビデオカメラの側面図、図３は本発明に係る撮像装置であるビデオカメラの正面図、図４は本発明に係る撮像装置であるビデオカメラの側面図である。
【００２７】
図において７はビデオカメラ（撮像装置）であり、ビデオカメラ７は、矩形をなして適宜の厚みを有し、記録媒体であるテープカセットが装脱着可能に構成されたＶＴＲ・モニタ部１を備えている。ＶＴＲ・モニタ部１の一面には、液晶モニタ１０が設けられ、ＶＴＲ・モニタ部１の一側には、ＶＴＲ・モニタ部１と略同じ厚みと高さとを有するカメラ部２が並設されている。
【００２８】
カメラ部２は、液晶モニタ１０と同じ側の面に撮像ボタン又はズームボタン等の操作部を備えており、液晶モニタ１０の反対側の面に撮像用のレンズ２０を備えている。また、カメラ部２のＶＴＲ・モニタ部１側の反対側には、把持部材３が設けられている。
【００２９】
把持部材３は、把持し易い適宜の幅と長さとを有した板状をなしており、一面をカメラ部２に沿うようにして一端部３６が筐体２１に枢支され、一端部３６を支点として、例えば１５０度とした所定角度θ１内でカメラ部２に沿って揺動することが可能に構成されている。このように構成されることにより把持部材３は、筐体２１に対して出入可能となり、把持部材３の他面側からの側面視において、所定角度θ１内の一側の端に位置することにより、図２において二点鎖線で示したように、筐体２１に対して入状態である非使用状態となり、所定角度θ１内の他側の端に位置することにより、筐体２１に対して出状態である使用状態となる。また、把持部材３には、非使用状態のときに筐体２１と対向する対向部３４（換言すれば、前記一面）と、使用状態のときに撮像方向側となる指当接部３０とが重複する部分に、撮像に関する操作部３１，３１，・・・、例えば撮像ボタン又はズームボタン等が配設されている。
【００３０】
図５は把持部材３の取付部分の構成を示す模式的分解斜視図である。
【００３１】
把持部材３の一端部３６の一面側には、短円柱状をなす凸部３２が設けられ、カメラ部２の筐体２１には、凸部３２に対応した略円形をなす取付孔２２が形成されている。凸部３２は取付孔２２に嵌め合わされ、把持部材３と筐体２１との間には、凸部３２に外嵌した環状をなす板ばね３３が介されている。筐体２１の把持部材３側の反対側には、矩形の板状をなす取付金具２３が設けられ、取付金具２３は筐体２１に固定されている。取付金具２３には、取付孔２２と略同じ大きさを有し、略円形をなす貫通孔２４が形成され、凸部３２は貫通孔２４を貫通している。また、取付金具２３には、スイッチ部４０を押されることにより電源８をオンする検出スイッチ４がネジ止めされている。取付金具２３の筐体２１側の反対側には、凸部３２の突出端にネジ止めされた円板状をなす被検出体５が設けられている。被検出体５は、貫通孔２４より大きい直径を有し、板ばね３３の付勢力により凸部３２が筐体２１の取付孔２２から抜脱するのを防止している。また、被検出体５には、当接部５０が凸設されており、当接部５０は、把持部材３が所定角度θ１内の他側の端から適宜の角度内、例えば略９０度以内に位置するときにスイッチ部４０に当接するように形成されている。なお、把持部材３に配設された操作部３１，３１，・・・の電気的な接続は、凸部３２の端面に設けられた導入口３５と、導入口３５に対応して被検出体５に形成された貫通口５１とを通過したフレキシブルプリント配線板９により実現されている。
【００３２】
以上の構成により、本発明に係る撮像装置は、筐体２１に対して入状態である非使用状態の把持部材３を所定角度θ１内の他側の方へ揺動させれば、筐体２１に対して出状態である使用状態に変わり、使用状態の把持部材３を所定角度θ１内の一側の方へ揺動させれば、非使用状態に変わる。
【００３３】
把持部材３を非使用状態から使用状態へ変える揺動に連動して被検出体５が回転し、把持部材３が所定角度θ１内の他側の端から略９０度の位置に到達したとき、被検出体５の当接部５０が検出スイッチ４のスイッチ部４０に当接する。該当接によりスイッチ部４０が押され、検出スイッチ４は電源８をオンし、ビデオカメラ７に電力が供給される。
【００３４】
把持部材３を使用状態から非使用状態へ変える揺動にも被検出体５は連動して回転し、把持部材３が所定角度θ１内の他側の端から略９０度の位置に到達したとき、被検出体５の当接部５０が検出スイッチ４のスイッチ部４０から離反する。該離反により検出スイッチ４は電源８をオフし、電力の供給が停止する。
【００３５】
本発明に係る撮像装置は、筐体２１に対して出入可能な把持部材３に操作部３１，３１，・・・を設けたから、使用状態にした把持部材を把持すれば、ビデオカメラ７を確実に保持したまま撮像操作ができ、撮像操作の操作性を向上することができる。
【００３６】
また、把持部材３が非使用状態のときに操作部３１，３１，・・・がカメラ部２の筐体２１に対向するから、把持部材３を非使用状態にすれば、操作部３１，３１，・・・が露出しない。従って、把持部材３を非使用状態にしたビデオカメラ７を、例えば鞄に入れて持ち運んでも、操作部３１，３１，・・・に鞄の収容物が当接しないから、誤作動を抑制できる。
【００３７】
さらに、把持部材３の指当接部３０に操作部３１，３１，・・・を配設したから、使用状態にした把持部材３を把持すれば、指先の近くに操作部３１，３１，・・・が位置する。従って、指先を僅かに動かすだけで操作部３１，３１，・・・を操作できるから、撮像操作の操作性を更に向上することができる。
【００３８】
さらにまた、把持部材３を使用状態又は非使用状態へ変える揺動に応じて電源８がオン又はオフされるから、把持部材３を使用状態に変えるだけで、電源８がオンされてビデオカメラ７に電力が供給され、速やかに撮像操作を開始することができる。
【００３９】
また、把持部材３の一端部をカメラ部２の筐体２１に枢支したから、把持部材３を動作させるための構造が複雑化せず、把持部材３と筐体２１との取付部分の構造を簡単にできる。
【００４０】
以上、本発明に係る撮像装置を説明したが、本発明に係る撮像装置は、前述の構成に限定されず、種々の変形例の適用が可能である。
【００４１】
例えば、被検出体５の当接部５０を、把持部材３が所定角度θ１内の他側の端から略９０度以内に位置するときにスイッチ部４０に当接するように設け、把持部材３が所定角度θ１内の他側の端から略９０度以内に位置することで電源８がオンされるように構成したが、図６に示すように、把持部材３が使用状態のときに検出スイッチ４のスイッチ部４０に当接する当接部５０Ａを有する被検出体５Ａと、更にもう１つの検出スイッチ４Ａと、電源８のオン・オフの状態を制御する制御部８０とを備え、把持部材３が使用状態のときに当接部５０Ａで検出スイッチ４のスイッチ部４０を押し、把持部材３が非使用状態のときに当接部５０Ａで検出スイッチ４Ａのスイッチ部４０Ａを押すように構成すると共に、検出スイッチ４，４Ａの出力をもとに、スイッチ部４０が押されたときに電源８をオンの状態にし、スイッチ部４０Ａが押されたときに電源８をオフの状態にするように制御部８０で制御してもよい。
【００４２】
なお、当接部５０Ａがスイッチ部４０を押すときは、把持部材３が所定角度θ１内の他側の端から所定の角度内、例えば１０度以内に位置するときにしてもよく、同様に、当接部５０Ａがスイッチ部４０Ａを押すときも、把持部材３が所定角度θ１内の一側の端から所定の角度内、例えば１０度以内に位置するときにしてもよい。
【００４３】
このように構成すれば、把持部材３が非使用状態で電源８がオフされている状態から、把持部材３を揺動させて所定角度θ１内の他側の端（又は他側の端から所定の角度内）に位置させたときに電源８がオンされてビデオカメラ７に電力が供給される。また、把持部材３が使用状態で電源８がオンされている状態から、把持部材３を揺動させて所定角度θ１の一側の端（又は一側の端から所定の角度内）に位置させたときに電源８がオフされて電力の供給が停止する。つまり、把持部材３の揺動途中は、電源８のオン・オフの状態が維持されているから、不意の外力が把持部材３に作用し、把持部材３が僅かに揺動するだけで電源８がオフされる又はオンされるという誤作動が防止できる。
【００４４】
その他の構成及び作用は、図５に示した構成と同様であるため、同様の構成については同じ参照符号を付し、その構成の詳細な説明及び作用の説明を省略する。
【００４５】
なお、被検出体５，５Ａの当接部５０，５０Ａが検出スイッチ４，４Ａのスイッチ部４０，４０Ａに当接することにより、把持部材３の使用状態又は非使用状態を検出して電源８のオン・オフを切り替える構成としたが、把持部材３の使用状態又は非使用状態を検出して電源８のオン・オフを切り替える構成はこの構成に限らず、例えば、光センサ又は磁気センサ等の非接触型のセンサを用いて把持部材３の使用状態又は非使用状態を検出し、電源８のオン・オフを切り替える構成としてもよい。
【００４６】
また、把持部材３の対向部３４と指当接部３０とが重複する部分に操作部３１，３１，・・・を配設したが、操作部３１，３１，・・・は、図７に示したように、指当接部３０の外側（把持部材３の他面側）に配設してもよい。
【００４７】
さらに、把持部材３は、一端部３６を支点として所定角度θ１内でカメラ部２に沿って揺動することが可能に構成したが、図８に示したように、ヒンジ部６を支点として開閉するように構成した開閉式の把持部材３Ａとしてもよい。また、図９に示したように、カメラ部２の筐体２１内に収容され、使用時に突出するスライド式の把持部材３Ｂとしてもよく、把持部材３，３Ａ，３Ｂは、筐体２１に対して出入可能であればよい。
【００４８】
なお、図８及び図９に示した変形例では、把持部材３Ａ，３Ｂの撮像方向側の面に操作部３１，３１，・・・を配設してあるが、操作部３１，３１，・・・の配設位置はこの面に限らず、例えば開閉式の把持部材３Ａにおいては、筐体２１に対して入状態である非使用状態のときにカメラ部２及びＶＴＲ・モニタ部１に対向する部分に操作部３１，３１，・・・を配設してもよい。
【００４９】
さらにまた、本発明に係る撮像装置は、把持部材３に操作部３１，３１，・・・を設けると共に、把持部材３を使用状態又は非使用状態へ変更する揺動に連動して電源８がオン又はオフされるように構成したが、本発明に係る撮像装置は、把持部材３に操作部３１，３１，・・・を設けず、把持部材３を使用状態又は非使用状態へ変更する揺動に連動して電源８がオン又はオフされるように構成してもよい。
【００５０】
また、本発明に係る撮像装置は、前述の構成を全て備える必要はなく、一部の構成を削除したものでもよい。また、本発明の趣旨に逸脱しない範囲にて構成を変更することも可能である。
【００５１】
さらに、以上で説明した実施の形態では、本発明に係る撮像装置をビデオカメラ７として説明したが、本発明に係る撮像装置は、ビデオカメラ７に限定されず、銀塩カメラ又はデジタルカメラ等を含む撮像装置に適用することが可能である。
【００５２】
なお、近年の携帯機器又はモバイル機器、例えば、液晶モニタを備え、記録媒体に記録した映像を前記液晶モニタに出力するポータブルＡＶプレーヤー、又はＰＤＡ（携帯情報端末）である「ザウルス（シャープ株式会社製）」等は、小型化が著しく進行しているから、保持性の向上及び操作性の向上から、これらの携帯機器又はモバイル機器にも本発明を適用することが可能である。
【図面の簡単な説明】
【００５３】
【図１】本発明に係る撮像装置であるビデオカメラの斜視図である。
【図２】本発明に係る撮像装置であるビデオカメラの側面図である。
【図３】本発明に係る撮像装置であるビデオカメラの正面図である。
【図４】本発明に係る撮像装置であるビデオカメラの側面図である。
【図５】把持部材の取付部分の構成を示す模式的分解斜視図である。
【図６】把持部材の取付部分の変形例の構成を示す模式的分解斜視図である。
【図７】操作部の配設位置が異なる変形例を示すビデオカメラの斜視図である。
【図８】把持部材の形態が異なる変形例を示すビデオカメラの斜視図である。
【図９】把持部材の形態が異なる変形例を示すビデオカメラの斜視図である。
【符号の説明】
【００５４】
３，３Ａ，３Ｂ  把持部材
４，４Ａ  検出スイッチ
５，５Ａ  被検出体
７  ビデオカメラ（撮像装置）
８  電源
２１  筐体
３０  指当接部
３１  操作部
３４  対向部
３６  一端部
４０，４０Ａ  スイッチ部
５０，５０Ａ  当接部
８０  制御部
【図１】
0004219233.tif 000002
【図２】
0004219233.tif 000003
【図３】
0004219233.tif 000004
【図４】
0004219233.tif 000005
【図５】
0004219233.tif 000006
【図６】
0004219233.tif 000007
【図７】
0004219233.tif 000008
【図８】
0004219233.tif 000009
【図９】
0004219233.tif 000010